(57)【要約】【課題】医療関係以外のシステムでも相互に通信が行なえ、かつ、該各種システムをモジュールとして統合可能な画像診断支援ネットワークサービス方式を提供する。【解決手段】画像診断装置１３０と該画像診断装置の周辺機器１４０、１５０とが通信するための専用の通信プロトコルと、汎用の通信プロトコルとを相互変換するプロトコル変換装置１１０及び各端末のプロトコルを識別するための端末識別装置１２５を具備する。【選択図】図１
2005252534.tif 000002
【特許請求の範囲】
【請求項１】
医療情報システムを構成する複数の端末が接続されたネットワークにおいて、前記各端末は画像診断装置及び該画像診断装置の周辺機器を含み、前記各端末のＩＰアドレス及び通信プロトコルの情報を管理する端末識別装置と、画像診断装置と該画像診断装置の周辺機器とが通信するための専用の通信プロトコルと、汎用の通信プロトコルとを相互変換するプロトコル変換装置とを具備することを特徴とする画像診断支援ネットワークサービスシステム。
【請求項２】
請求項１に記載の画像診断支援ネットワークサービスシステムにおいて、専用の通信プロトコルとは画像診断機器と該画像診断装置の周辺機器とが通信を行なうための通信プロトコルであるＩＨＥ，ＤＩＣＯＭ，もしくは、ＨＬ７のいずれかであることを特徴とする画像診断支援ネットワークサービスシステム。
【請求項３】
請求項１に記載の画像診断支援ネットワークサービスシステムにおいて、汎用の通信プロトコルとは企業間電子商取引において使用される通信プロトコルであるＳＯＡＰであることを特徴とする画像診断支援ネットワークサービスシステム。
【請求項４】
医療情報システムを構成する複数の端末が接続された画像診断支援ネットワークサービスシステムにおける画像診断支援ネットワークサービス方法であって、前記各端末は画像診断装置及び該画像診断装置の周辺機器を含み、前記画像診断支援ネットワークサービスシステムは、前記各端末のＩＰアドレス及び通信プロトコルの情報を管理する端末識別装置と、プロトコル変換装置とを具備しており、
前記画像診断装置と該画像診断装置の周辺機器とが通信するための専用の通信プロトコルと、汎用の通信プロトコルとを相互変換して通信することを特徴とする画像診断支援ネットワークサービス方法。
【発明の詳細な説明】
【技術分野】
【０００１】
本発明は、画像診断支援ネットワークサービス方法及び装置に係り、特に、病院などの医療施設に設置される医療情報システムに係わり、Ｘ線コンピュータ断層撮影装置（ＣＴ）や磁気共鳴イメージング装置（ＭＲＩ）などの医用画像診断装置と呼ばれる医療機器を接続する際のネットワークに適した画像診断支援ネットワークサービス方法及び装置に関する。
【背景技術】
【０００２】
高度医療の要求が高まっており、ＣＴやＭＲＩなどの画像診断装置による診療は不可欠なものとなっている。病院などの医療施設には、ＣＴやＭＲＩの他に、会計処理を行なう情報システムや検査予約および薬品などの発注業務を行なう情報システムなど様々なシステムがネットワークで接続され、相互に通信が行なわれている。これらの情報システムは、他社のものとも円滑に通信が行なえるように通信プロトコルと言う取り決めに従って構築されている。Ｉｎｔｅｇｒａｔｉｎｇ  ｔｈｅ  Ｈｅａｌｔｈｃａｒｅ  Ｅｎｔｅｒｐｒｉｓｅ（ＩＨＥ），Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ（ＤＩＣＯＭ），Ｈｅａｌｔｈ  Ｌｅｖｅｌ  Ｓｅｖｅｎ（ＨＬ７）の３つはその通信プロトコルの一種である。
【０００３】
ＩＨＥは、画像診断装置やその周辺装置である放射線科システム（ＲＩＳ）、医用画像保管通信システム（ＰＡＣＳ）、読影レポートシステムなどの通信に着目して作られた通信プロトコル、ＤＩＣＯＭは医用画像を相互接続・運用するための通信プロトコル、ＨＬ７は主に検査機器で用いられる通信プロトコルである。
【０００４】
ＩＨＥ，ＤＩＣＯＭ，ＨＬ７については、それぞれｈｔｔｐ：／／ｗｗｗ．ｒｓｎａ．ｏｒｇ／ＩＨＥ／ｉｎｄｅｘ．ｓｈｔｍｌ，ｈｔｔｐ：／／ｗｗｗ．ｊｆｃｒ．ｏｒ．ｊｐ／ＤＩＣＯＭ／，ｈｔｔｐ：／／ｗｗｗ．ｈｌ７．ｊｐ／において仕様が公開されている。
【０００５】
特許文献１に記載の「医療情報システム」には、病院内に存在する各種サーバのデータを一時保管しておき、所定のデータを転送先のサーバに適合したプロトコルで転送することによって、種々の仕様のシステムでも参照できるようにする方式が記載されている。
【０００６】
特許文献２に記載の「医用情報管理システム」には、ネットワークに接続された画像診断装置や医用装置におけるデータを有効活用するため、別途具備した蓄積手段に格納して共用する方法が記載されている。
【０００７】
また、特許文献３に記載の「遠隔診断代行サービス提供方法、医療情報管理サーバプログラム及びプログラム記録媒体」には、医療情報管理サーバに生体情報を送信する手段として、Ｓｉｍｐｌｅ  Ｏｂｊｅｃｔ  Ａｃｃｅｓｓ  Ｐｒｏｔｏｃｏｌ（ＳＯＡＰ）などを用いても良いとの記載がある。
【０００８】
一方、医療分野ではなく、企業間で電子的に取引を行なう企業間電子商取引の分野ではＷｅｂサービスと呼ばれる仕組みが注目されている。ＷｅｂサービスはＷｅｂテクノロジーの延長線上で考え出された技術であり、自社のシステムの機能をコンポーネント化することによってサービスとして外部に提供することを可能とし、逆に自社でもっていない機能を外部のシステムから調達、利用することを可能とする技術である。また、複数のサービスをＷｅｂサービスの技術を用いて統合することによって、カスタマイズされたサービスを容易に構築することも可能となる。
【０００９】
より具体的には、Ｗｅｂサービスは、Ｓｉｍｐｌｅ  Ｏｂｊｅｃｔ  Ａｃｃｅｓｓ  Ｐｒｏｔｏｃｏｌ（ＳＯＡＰ）と呼ばれるＸＭＬ（ｅＸｔｅｎｓｉｂｌｅ  Ｍａｒｋｕｐ  Ｌａｎｇｕａｇｅ）に則った通信プロトコルを用いることで機種、ＯＳ、利用分野に依存しない汎用的な通信プロトコルで通信される。また、通信路としても専用の特殊なものを必要とせず安価にシステムが構築できることを特徴とする。
【００１０】
Ｗｅｂサービスの入出力の仕様は、Ｗｅｂ  Ｓｅｒｖｉｃｅｓ  Ｄｅｓｃｒｉｐｔｉｏｎ  Ｌａｎｇｕａｇｅ（ＷＳＤＬ）という言語で明記することになっている。よって、他社のシステムを組み合わせる際、ＷＳＤＬを参照すれば入出力の仕様を把握することができるので構築が容易になるという特徴がある。Ｗｅｂサービスについては、非特許文献１などに記載されている。
【００１１】
【特許文献１】特開２００１−１０１３２０号公報
【００１２】
【特許文献２】特開２００３−２３３６７４号公報
【特許文献３】特開２００３−３２３４９５号公報
【非特許文献１】米持幸寿著「Ｗｅｂサービス完全解説」（翔泳社）
【発明の開示】
【発明が解決しようとする課題】
【００１３】
上記従来例１では、別のプロトコルを用いる新規のサーバが追加された場合、既存のサーバのそれぞれに新規のプロトコルに関する処理を付加する必要がある。また、医療関係以外のシステムとの通信は検討されていない。
【００１４】
従来例２では、各種装置で発生したデータを蓄積手段で共有管理するが、同データは画像ビューアもしくは共通解析装置から参照されることを目的とする医用画像に関するものであり、医療関係以外のシステムが発生するデータについては検討されていない。
【００１５】
そこで本発明の目的は、医療情報システムが接続されたネットワークにおいて、ＲＩＳ，ＰＡＳＣ，読影レポートシステムなど画像診断装置に関連するシステムに加え、医療関係以外のシステムでも相互に通信が行なえ、かつ、該各種システムをモジュールとして統合可能な画像診断支援ネットワークサービス方式を提供することにある。
【課題を解決するための手段】
【００１６】
上記目的を達成するため、本発明は、医療情報システムを構成する複数の端末が接続されたネットワークにおいて、前記各端末は画像診断装置及び該画像診断装置の周辺機器を含み、前記各端末のＩＰアドレス及び通信プロトコルの情報を管理する端末識別装置と、画像診断装置と該画像診断装置の周辺機器とが通信するための専用の通信プロトコルと、汎用の通信プロトコルとを相互変換するプロトコル変換装置とを具備することを特徴とする。
【００１７】
また、専用の通信プロトコルとは画像診断機器と該画像診断装置の周辺機器とが通信を行なうための通信プロトコルであるＩＨＥ，ＤＩＣＯＭ，もしくは、ＨＬ７のいずれかであることを特徴とする。
【００１８】
また、汎用の通信プロトコルとは企業間電子商取引において使用される通信プロトコルであるＳＯＡＰであることを特徴とする。
【発明の効果】
【００１９】
本発明の画像診断支援ネットワークサービス方式によれば、次の効果が得られる。  
画像診断装置やＲＩＳ，ＰＡＣＳなどで用いられている専用の通信プロトコルであるＩＨＥが汎用の通信プロトコルであるＳＯＡＰに変換されるので、Ｗｅｂサービスアーキテクチャに対応した医療分野以外のシステムとの連携を容易に行なうことができる。
【００２０】
画像診断装置など既存のシステムは専用の通信プロトコルであるＩＨＥに対応しておけば、プロトコル変換装置をネットワークに接続するだけでＷｅｂサービス対応のシステムを構築することができる。  
既存の通信プロトコル以外の通信プロトコルを使用するシステムを接続する場合、既存の各々のシステムに処理を追加することなく、プロトコル変換装置だけに処理を追加するだけで対応することができる。  
汎用の通信プロトコルであるＳＯＡＰは専用の通信路を必要とせず、病院の内外を問わず通信を行うことが可能であるので、外部に公開すれば容易に遠隔画像診断サービスを提供することができる。
【発明を実施するための最良の形態】
【００２１】
以下、図を用いて本発明の画像診断支援ネットワークサービス方式の実施例を詳細に説明する。  
図１は、本発明に係わる画像診断支援ネットワークサービス方式の実施例におけるシステムの接続関係を示すブロック図である。
【００２２】
１０は医療施設であり、各種情報を入出力するためのコンピュータ端末１００及び１０１、プロトコル変換装置１１０、情報提供装置１２０、端末識別装置１２５、ＣＴやＭＲＩなどの画像診断診断装置１３０、放射線科システムＲＩＳ１４０、医用画像保管通信システム（ＰＡＣＳ）１５０、読影レポートシステム１６０などの医療情報システムを有する。コンピュータ端末１００及び情報提供装置１２０は、医療情報システムとは関係のない検索情報などを提供する汎用の通信プロトコルであるＳＯＡＰを用いるものとする。コンピュータ端末１０１及び画像診断診断装置１３０は専用の通信プロトコルであるＩＨＥを用いるものとする。ＲＩＳ１４０、ＰＡＣＳ１５０、読影レポートシステム１６０は画像診断装置１３０と同様に専用の通信プロトコルであるＩＨＥを用いる。２０は、コンピュータ端末１０２を有する診療所である。以下単に「端末」と称するときは、ネットワークを介して相互に接続される、端末１００〜１０２及び画像診断診断装置１３０、ＲＩＳ１４０、ＰＡＣＳ１５０、読影レポートシステム１６０等の各機器を総称するものとする。各端末は固有のＩＰアドレスを持ち、また、少なくとも１種類の通信プロトコルによりイントラネットを介して、さらにはインターネットを介して相互に通信可能に構成されている。端末識別装置１２５は、各端末のＩＰアドレス及び通信プロトコルの情報を管理するテーブルを備えている。各端末はネットワークを介して端末識別装置１２５にアクセスすることにより、通信する他の端末ＩＰアドレス及び通信プロトコルの情報を取得できる。
【００２３】
上記のような構成の下、本発明の画像診断支援ネットワークサービス方式は、プロトコル変換装置１１０によって、画像診断装置１３０、ＲＩＳ１４０、ＰＡＣＳ１５０、読影レポートシステム１６０が通信の際に用いる専用の通信プロトコルであるＩＨＥを汎用の通信プロトコルであるＳＯＡＰに変換する。端末１００が画像診断装置１３０と通信をする場合はプロトコル変換装置１１０を介することで、汎用の通信プロトコルＳＯＡＰを専用の通信プロトコルに変換して通信する。汎用の通信プロトコルであるＳＯＡＰは専用の通信路を必要とせず、病院の内外を問わず通信を行うことが可能であるので、医療施設１０に存在するＲＩＳ１４０およびＰＡＣＳ１５０を外部である診療所２０の端末１０２に公開することで、遠隔画像診断サービスを提供できる。
【００２４】
本発明によれば、プロトコル変換装置１１０及び端末識別装置１２５を具備することにより、端末１０１及び画像診断装置１３０やＲＩＳ１４０、ＰＡＣＳ１５０などで用いられている専用の通信プロトコルであるＩＨＥが汎用の通信プロトコルであるＳＯＡＰに変換されるので、端末１００はＳＯＡＰに対応するだけでよい。よって、医療分野以外のシステムである情報提供装置１２０と連携を行なう場合、ＳＯＡＰの処理方法さえ習得しておけば容易にシステム構築を行なうことができる。
【００２５】
図２は、本発明に係わる画像診断支援ネットワークサービス方式の一実施例におけるプロトコル変換装置１１０を利用する場合の通信プロトコルの流れを示す説明図である。
【００２６】
３００、３１０、３２０、３３０は通信プロトコルの流れを示すプロトコルフロー、３４０、３５０はプロトコル変換装置１１０においてプロトコルの変換処理が行なわれていることを示す変換処理ブロックである。
【００２７】
端末１００がＰＡＣＳ１５０と通信を行なう場合、プロトコル変換装置１１０を経由するプロトコルフロー３００、３１０、３２０、３３０で示される経路が用いられ、途中でプロトコルの変換処理３４０、３５０がなされる。プロトコル変換装置１１０はＳＯＡＰ，ＩＨＥの双方に対応しているので、プロトコルフロー３００、３３０はＳＯＡＰ、プロトコルフロー３１０、３２０はＩＨＥが用いられる。
【００２８】
よって、端末１００においてＰＡＣＳ１５０から取得した情報と情報提供装置１２０から取得した情報を使用したシステムを構築する場合、ＳＯＡＰの処理方法だけで容易にシステム構築を行なうことができる。
【００２９】
図３は、本発明に係わる画像診断支援ネットワークサービス方式の一実施例におけるプロトコル変換の必要が無い場合の通信プロトコルの流れを示す説明図である。
【００３０】
２００、２１０、２２０、２３０は通信プロトコルの流れを示すプロトコルフロー、２４０、２５０はそれぞれＰＡＣＳ１５０、情報提供装置１２０において何らかの処理が行なわれていることを示す処理ブロックである。
【００３１】
端末１０１は専用の通信プロトコルであるＩＨＥを用いているので、ＰＡＣＳ１５０と通信を行なう場合、プロトコルフロー２００と２１０で示される経路が用いられる。
【００３２】
また、端末１０１が情報提供装置１２０と通信を行なう場合、プロトコルフロー２２０と２３０で示される経路が用いられる。
【００３３】
図４は本発明に係わる画像診断支援ネットワークサービス方式の一実施例におけるプロトコル変換装置１１０の構成を示すブロック図である。
【００３４】
４００は受信した通信プロトコルを解釈するためのプロトコル解釈部、４１０は汎用の通信プロトコルであるＩＨＥから専用の通信プロトコルであるＳＯＡＰへ、もしくは、ＳＯＡＰからＩＨＥへプロトコルを変換するためのプロトコル変換部、４２０は受信した通信プロトコルが専用のＩＨＥか、汎用のＳＯＡＰかを判定するためのプロトコル判定部、４３０はプロトコル変換装置１１０が外部の装置と送受信するための通信部である。
【００３５】
上記のような構成の下、本発明の画像診断支援ネットワークサービス方式は、通信部４３０を介して取得した通信プロトコルが専用のＩＨＥか汎用のＳＯＡＰであるかをプロトコル判定部４２０で判定する。同判定結果を受けてプロトコル解釈部４００で通信プロトコルを詳細に解析し、さらに同解析結果に応じてプロトコル変換部４１０において受信したプロトコルがＩＨＥだった場合はＳＯＡＰへ、ＳＯＡＰだった場合はＩＨＥへ変換する。通信部４３０はプロトコル変換部４１０で変換されたＩＨＥもしくはＳＯＡＰを外部の装置へ送信する。プロトコル変換装置１１０における処理手順は図６を用いて詳細に説明する。
【００３６】
本発明によれば、上記したプロトコル解釈部４００、プロトコル変換部４１０、プロトコル判定部４２０、通信部４３０を具備することによって、画像診断装置１３０やＲＩＳ１４０、ＰＡＣＳ１５０などで用いられている専用の通信プロトコルであるＩＨＥが汎用の通信プロトコルであるＳＯＡＰに変換されるので、ＳＯＡＰの処理方法さえ習得しておけば容易にシステム構築を行なうことができる。
【００３７】
また、本発明に係わるプロトコル変換装置１１０及び端末識別装置１２５を具備しておけば、画像診断装置１３０やＲＩＳ１４０などは専用の通信プロトコルであるＩＨＥに対応するだけで、システム構築を容易にするＷｅｂサービスに対応することができる。
【００３８】
更に、既存の通信プロトコル以外の通信プロトコルを使用するシステムを接続する場合、プロトコル変換装置１１０にプロトコルの変換処理が集中しているので、既存の各々のシステムに処理を追加することなく、プロトコル変換装置１１０に処理を追加するだけで対応することができる。
【００３９】
図５は本発明に係わる画像診断支援ネットワークサービス方式の一実施例における端末に表示する表示領域の例を示すための説明図である。
【００４０】
５００は端末１００、１０２に情報を表示する表示領域、５１０は情報提供装置１２０と通信し、入出力を行なうための検索情報表示領域、５２０は読影レポートシステム１６０と通信し、入出力を行なうための読影レポート表示領域、５３０はＲＩＳ１４０と通信し、入出力を行なうための検査予約状況表示領域、５４０はＰＡＣＳ１５０と通信し、入出力を行なうための診断画像表示領域である。
【００４１】
表示領域５００に表示した検索情報表示領域５１０、読影レポート表示領域５２０、検査予約状況表示領域５３０、診断画像表示領域５４０はシステムの構築例を示すためのものであり、該構成に限定されるものではない。
【００４２】
本発明に係わるプロトコル変換装置１１０及び端末識別装置１２５を具備しておけば、別々のシステムとの入出力インタフェースを有する表示領域５００のようなシステムを複数のプロトコルを用いることなく、Ｗｅｂサービスの特徴を活かしてＳＯＡＰだけで容易に構築することができる。
【００４３】
図６は本発明に係わる画像診断支援ネットワークサービス方式の一実施例におけるプロトコル変換装置における処理手順を示したフローチャートである。
【００４４】
プロトコル変換装置１１０において処理が開始すると（ステップ６００）、通信部４３０を介して通信プロトコルが受信される（ステップ６１０）。
【００４５】
ステップ６１０で受信された通信プロトコルは、プロトコル判定部４２０において、専用の通信プロトコルであるＩＨＥか、汎用の通信プロトコルであるＳＯＡＰか判定される（ステップ６２０）。
【００４６】
ステップ６２０において専用の通信プロトコルであると判定された場合、プロトコル解釈部４００で詳細に解析が行なわれ（ステップ６３０）、該解釈の結果を受けてプロトコル変換部４１０において専用の通信プロトコルであるＩＨＥから汎用の通信プロトコルであるＳＯＡＰに変換が行なわれる（ステップ６４０）。
【００４７】
ステップ６４０で生成されたＳＯＡＰは通信部４３０を介して外部のシステムに送信され（ステップ６７０）、ステップ６１０が繰り返される。
【００４８】
ステップ６２０において汎用の通信プロトコルであると判定された場合、プロトコル解釈部４００で詳細に解析が行なわれ（ステップ６５０）、該解釈の結果を受けてプロトコル変換部４１０において汎用の通信プロトコルであるＳＯＡＰから専用の通信プロトコルであるＩＨＥに変換が行なわれる（ステップ６６０）。
【００４９】
ステップ６６０で生成されたＩＨＥは通信部４３０を介して外部のシステムに送信され（ステップ６７０）、ステップ６１０が繰り返される。
【００５０】
本発明によれば、上記した処理手順によって、端末１０１や画像診断装置１３０やＲＩＳ１４０、ＰＡＣＳ１５０などで用いられている専用の通信プロトコルであるＩＨＥが汎用の通信プロトコルであるＳＯＡＰに変換されるので、ＳＯＡＰの処理方法さえ習得しておけば容易にシステム構築を行なうことができる。
【００５１】
また、本発明の画像診断支援ネットワークサービス方式のような構成を採ることにより、既存の通信プロトコル以外の通信プロトコルを使用するシステムを接続する場合、既存の各々のシステムに処理を追加することなく、一連のステップ６２０、６３０、６４０と同様の処理手順を追加するだけで対応することができる。
【００５２】
端末１００、１０２に表示する表示領域５００は電子カルテシステムの一部と見なすことができる。また、情報提供装置１２０を病院の経営状況を示す統計指数や具体的な診療報酬などの数値を提供する経営支援システムと見なせば、画像診断に係わる情報と経営に係わる情報をＳＯＡＰという汎用の通信プロトコルで用いて取得する電子カルテシステムに適用できる。
【図面の簡単な説明】
【００５３】
【図１】本発明に係わる画像診断支援ネットワークサービス方式の一実施例におけるシステムの接続関係を示すブロック図である。
【図２】本発明に係わる画像診断支援ネットワークサービス方式の一実施例における通信プロトコルの流れを示す説明図である。
【図３】本発明に係わる画像診断支援ネットワークサービス方式の一実施例における通信プロトコルの流れを示す説明図である。
【図４】本発明に係わる画像診断支援ネットワークサービス方式の一実施例におけるプロトコル変換装置の構成を示すブロック図である。
【図５】本発明に係わる画像診断支援ネットワークサービス方式の一実施例における端末に表示する表示領域の例を示すための説明図である。
【図６】本発明に係わる画像診断支援ネットワークサービス方式の一実施例におけるプロトコル変換装置における処理手順を示したフローチャートである。
【符号の説明】
【００５４】
１０…医療施設、２０…診療所、１００…端末、１０１…端末、１０２…端末、１１０…プロトコル変換装置、１２０…情報提供装置、端末識別装置１２５、１３０…画像診断装置、１４０…ＲＩＳ、１５０…ＰＡＣＳ、１６０…読影レポートシステム、２００、２１０、２２０、２３０…プロトコルフロー、２４０、２５０…処理ブロック、３００、３１０、３２０、３３０…プロトコルフロー、３４０、３５０…変換処理ブロック、４００…プロトコル解釈部、４１０…プロトコル変換部、４２０…プロトコル判定部、４３０…通信部、５００…表示領域、５１０…検索情報表示領域、５２０…読影レポート表示領域、５３０…検査予約状況表示領域、５４０…診断画像表示領域。
【図１】
2005252534.tif 000003
【図２】
2005252534.tif 000004
【図３】
2005252534.tif 000005
【図４】
2005252534.tif 000006
【図５】
2005252534.tif 000007
【図６】
2005252534.tif 000008